(57)【特許請求の範囲】
【請求項１】
リング部材の回転に伴う変化量を検出する検出手段と、
前記検出手段の検出結果に基づき、撮像用のレンズを光軸方向に移動／停止するレンズ移動制御手段と、
前記検出手段への通電を自動焦点調節モードの際に禁止する電源制御手段とを備えたことを特徴とする撮像装置。
【請求項２】
前記電源制御手段は、前記検出手段への通電を、自動焦点調節モード中の焦点調節ロック状態時に許可することを特徴とする請求項１記載の撮像装置。
【請求項３】
前記電源制御手段は、前記検出手段への通電を再生モード時に禁止することを特徴とする請求項１または２記載の撮像装置。
【請求項４】
前記リング部材は、前記レンズの光軸に対して同心円状に設けたことを特徴とする請求項１乃至３のいずれかに記載の撮像装置。
【請求項５】
リング部材の回転に伴う変化量を検出する検出手段と、前記検出手段の検出結果に基づき、撮像用のレンズを光軸方向に移動／停止するレンズ移動制御手段とを備えた撮像装置の電源制御方法であって、
前記検出手段への通電を自動焦点調節モードの際に禁止することを特徴とする撮像装置の電源制御方法。
【請求項６】
リング部材の回転に伴う変化量を検出する検出手段と、前記検出手段の検出結果に基づき、撮像用のレンズを光軸方向に移動／停止するレンズ移動制御手段とを備えた撮像装置の電源制御方法を実行するための制御プログラムであって、
前記検出手段への通電を自動焦点調節モードの際に禁止するステップを有することを特徴とする制御プログラム。
【発明の詳細な説明】
【０００１】
【発明の属する技術分野】
本発明は、インナーフォーカスタイプ等のレンズシステムを備えた撮像装置及びその電源制御方法、並びに前記撮像装置の電源制御方法を実行するための制御プログラムに関する。
【０００２】
【従来の技術】
近年、民生用一体型カメラでは、インナーフォーカスタイプのレンズが主流になってきている。インナーフォーカスタイプのレンズシステムは、小型化、レンズ前面までの撮影を可能とするため、補正レンズと変倍レンズをカムで機械的に結ぶのをやめ、補正レンズの移動軌跡をあらかじめマイコン内にレンズカムデータとして記憶し、そのレンズカムデータにしたがって補正レンズを駆動し、且つその補正レンズでフォーカスも合わせるように構成され、安価、システムの簡素化、レンズ鏡筒の小型軽量化という利点を持っている。
【０００３】
図６は、従来のインナーフォーカスタイプのレンズシステムを示す構成図である。
【０００４】
同図において、９０１は固定されている第１のレンズ群、９０２は変倍を行う第２のレンズ群（ズームレンズ）、９０３は絞り、９０４は固定されている第３のレンズ群、９０５は焦点調節機能と変倍による焦点面の移動を補正する所謂コンペ機能とを兼ね備えた第４のレンズ群（フォーカスコンペレンズ）、９０６は撮像面である。
【０００５】
公知の通り、図６のように構成されたレンズシステムでは、フォーカスコンペレンズ９０５がコンペ機能と焦点調節機能を兼ね備えているため、焦点距離が等しくても、撮像面９０６に合焦するためのフォーカスコンペレンズ９０５の位置は、被写体距離によって異なってしまう。各焦点距離において被写体距離を変化させたとき、撮像面９０６上に合焦させるためのフォーカスコンペレンズ９０５の位置を連続してプロットすると、図７に示すようになる。変倍中は、被写体距離に応じて図７に示された軌跡を選択し、該軌跡通りにフォーカスコンペレンズ９０５を移動させれば、ボケのないズームが可能になる。
【０００６】
このようなインナーフォーカスタイプのレンズシステムでは、ズームレンズ９０２またはフォーカスコンペレンズ９０５をマニュアル操作で駆動したい場合、レンズ群と非接触な操作部材を設け、操作部材の操作量を電気的に検出して、その操作量に応じた駆動量分だけ、レンズ駆動用アクチュエータ等を制御してレンズを移動させるのが一般的である。その中で、より前玉フォーカスタイプの操作感、或いは業務用カメラの操作感を実現するために、エンコーダを鏡筒に嵌合させ、このエンコーダの回転方向と回転スピードを電気的に検出することによってズームレンズ９０２またはフォーカスコンペレンズ９０５を移動させる方式の提案がなされている。
【０００７】
ここでは、ズームレンズ９０２とは機械的な接続がなされていないズーム環をズームリングと称し、フォーカスコンペレンズ９０５とは機械的な接続がなされていないフォーカス環をフォーカスリングと称し、図８（ａ），（ｂ）を用いてエンコーダの構成を詳しく説明する。図８（ａ）はエンコーダの外観図であり、図８（ｂ）は同図（ａ）の破線で囲まれた部分６０５を拡大表示し、併せてリング回転検出回路を示した図である。
【０００８】
図８（ａ）の６０１は、鏡筒に嵌合する回転タイプのエンコーダのフォーカスリングであり、６０２は光を反射する部分と透過する部分とを持つエンコーダの櫛形構造部である。６０３と６０４は、それぞれ投光部６０６と受光部６０７を持つリング回転センサで、櫛形構造部６０２の反射光を受光した時とそうでない時で出力信号の状態が変化する。
【０００９】
このような構造のエンコーダを回転させると、リング回転センサ６０３と６０４の出力信号はそれぞれ図９（ａ）または図９（ｂ）に示すように変化する。リング回転センサ６０３と６０４の位置関係は、２つの出力信号の位相が適当な量だけずれるように決められていて、出力信号の変化の周期で回転スピードを検出し、２つの信号の位相関係で回転方向を検出する仕組みになっている。つまり、図９（ａ）が正回転方向ならば図９（ｂ）は逆回転方向にフォーカスリング６０１を操作した時の出力波形となる。このリング回転センサ６０３と６０４の出力信号を取り込んで、その信号の状態によってレンズの駆動方向と駆動スピードを決定する。なお、図９（ａ）中のＴは、櫛形構造部６０２を１歯（半周期）分移動するのに要する時間を表している。
【００１０】
図８（ａ），（ｂ）に示すようなエンコーダを装備し、フォーカスリング６０１の回転に応じてステッピングモータ等のレンズアクチュエータを駆動することにより、インナーフォーカスタイプのレンズシステムでありながら、あたかも前玉タイプと同じような操作感を維持しながら、パワーズーム／パワーフォーカスでズーミング動作／フォーカシング動作を行うことが可能となる。
【００１１】
【発明が解決しようとしている課題】
しかしながら、上記従来のインナーフォーカスタイプのレンズシステムを有する撮像装置において、レンズをマニュアル操作で駆動する場合、エンコーダにリング回転センサ６０３，６０４を用いているために、充分な発光量を確保するために、数十ｍＡの電流を流す必要があった。近年、バッテリーの持続時間が重視されカメラ本体への省電力化の要求が増しており、上記電流値も無視できないものとなっているが、図８のエンコーダでは電源制御がなされておらず、無駄な電力を消費してしまっていた。
【００１２】
すなわち、レンズのマニュアル操作は撮影時のみの行為であるが、再生時にもカメラ部に電源が供給されていると、上記エンコーダ部にも無駄な電力を消費してしまって好ましく、特にマニュアルフォーカスについては、オートフォーカス（ＡＦ）作動時には操作する必要がないことから、省エネに対し問題があった。逆にＡＦモードであっても、静止画撮影など、フォトキー半押しでのＡＦ後のフォーカスロック時には、ピント確認する撮影意図があり、そのままフォーカスリング６０１が効くことが好ましい。
【００１３】
このように従来の撮像装置では、撮影状況に合わせて、使いたいシーンでいつでもマニュアル操作を可能にしつつ、同時に低消費電力化を図るということが考慮されていなかった。
【００１４】
本発明は上記従来の問題点に鑑み、撮影状況に合わせて、いつでもマニュアル操作を可能にしつつ、同時に低消費電力化を図ることができる撮像装置、その電源制御方法、及び制御プログラムを提供することを目的とする。
【００１５】
【課題を解決するための手段】
上記目的を達成するために、本発明の撮像装置では、リング部材の回転に伴う変化量を検出する検出手段と、前記検出手段の検出結果に基づき、撮像用のレンズを光軸方向に移動／停止するレンズ移動制御手段と、前記検出手段への通電を自動焦点調節モードの際に禁止する電源制御手段とを備えたことを特徴とする。
【００１６】
本発明の撮像装置の電源制御方法では、リング部材の回転に伴う変化量を検出する検出手段と、前記検出手段の検出結果に基づき、撮像用のレンズを光軸方向に移動／停止するレンズ移動制御手段とを備えた撮像装置の電源制御方法であって、前記検出手段への通電を自動焦点調節モードの際に禁止することを特徴とする。
【００１７】
本発明の制御プログラムでは、リング部材の回転に伴う変化量を検出する検出手段と、前記検出手段の検出結果に基づき、撮像用のレンズを光軸方向に移動／停止するレンズ移動制御手段とを備えた撮像装置の電源制御方法を実行するための制御プログラムであって、前記検出手段への通電を自動焦点調節モードの際に禁止するステップを有することを特徴とする。
【００１８】
【発明の実施の形態】
以下、本発明の実施の形態を図面に基づいて説明する。
【００１９】
＜撮像装置の全体構成＞
図１は、本発明の実施の一形態に係る撮像装置の全体構成を示すブロック図である。
【００２０】
被写体からの光は、固定されている第１のレンズ群１０１、変倍を行う第２のレンズ群１０２（以下、ズームレンズと称す）、絞り１０３、固定されている第３のレンズ群１０４、及び焦点調節機能と変倍による焦点面の移動を補正するコンペ機能とを兼ね備えた第４のレンズ群１０５（以下、フォーカスコンペレンズと称す）を通って、ＣＣＤ等の撮像素子１０７上に結像される。
【００２１】
図中の６０１は、図８（ａ）に示したエンコーダのフォーカスリングであり、６０３，６０４はリング回転センサであり、１３７は、フォーカスリング６０１の回転に伴う変化量を検出するリング回転検出回路（図８（ｂ））である。
【００２２】
レンズ１０１，１０２、絞り１０３及びレンズ１０４，１０５を通過し撮像素子１０７に結像された像は光電変換され、増幅器１０９で最適なレベルに増幅され、カメラ信号処理回路１１２へと入力される。そして、カメラ信号処理回路１１２において入力標準テレビ信号に変換された後、増幅器１３２で最適なレベルに増幅され、磁気記録再生装置１３３に送られると同時に、ＬＣＤ表示回路１３４にも送られ、撮影画像がＬＣＤ１３５に表示される。なお、ＬＣＤ１３５には、撮影モードや撮影状態、警告等を撮影者に知らせるための表示がなされるが、カメラマイコン１１６がキャラクタジェネレータ１３６を制御し、出力信号１３６をＬＣＤ表示回路１３４でミックスすることで、撮影画像に重畳させる。
【００２３】
一方、カメラ信号処理回路１１２に入力される撮像信号は、同時に内部メモリを使い、ＪＰＥＧ変換処理が行われ、カードメディア等の静止画記録媒体１１４に記録することが可能である。また、カメラ信号処理回路１１２に入力される撮像信号は、同時にＡＦ信号処理回路１１３へと入力される。ＡＦ信号処理回路１１３で生成されたＡＦ評価値は、カメラマイコン１１６との通信によりデータの読み出しがなされる。
【００２４】
また、カメラマイコン１１６は、ズームスイッチ１３０及びＡＦスイッチ１３１のオン／オフ状態を読み込み、さらにフォトスイッチ１４０の押下状態を検出する。フォトスイッチ１４０は、スイッチの押し圧により２ポジションの位置があり、半押し状態で、ＡＦにてピント取り動作をし合焦にてフォーカスロックする。全押し（深押し）状態で、合焦非合焦に関わらずフォーカスロックして、カメラ信号処理１１２内のメモリ（未図示）に画像を取り込み、記録媒体１３３や静止画記録媒体１１４等に静止画記録を行う。
【００２５】
さらに、カメラマイコン１１６は、モードスイッチ１０６の状態により、動画撮影か静止画撮影かを判別して、カメラ信号処理回路１１２を介して磁気記録再生装置１３３や静止画記録媒体１１４を制御しており、記録メディアに適した映像信号を供給したり、モードスイッチ１０６が再生状態の場合には、磁気記録再生装置１３３や静止画記録媒体１１４で再生制御も行っている。
【００２６】
カメラマイコン１１６では、ＡＦスイッチ１３１がオフで、ズームスイッチ１３０が押されているときは、コンピュータズームプログラム１１９がズームスイッチ１３０の押されている方向に応じて、テレまたはワイド方向に駆動すべく、レンズマイコン内部にあらかじめ記憶されたレンズカムデータ１２０に基づいて、ズームモータドライバ１２２に信号を送ることで、ズームモータ１２１を介して変倍レンズ１０２を駆動する。これと同時に、フォーカスモータドライバ１２６に信号を送りフォーカスモータ１２５を介してフォーカスコンペレンズ１０５を動かすことで変倍動作を行う。
【００２７】
ＡＦスイッチ１３１がオンで、ズームスイッチ１３０が押されているときは、合焦状態を保ちつづける必要があるので、コンピュータズームプログラム１１９が、レンズマイコン内部にあらかじめ記憶されたレンズカムデータ１２０のみならず、カメラマイコン１１６に送られるＡＦ評価値信号も参照にして、ＡＦ評価値が最大になる位置を保ちつつ変倍動作を行う。
【００２８】
また、ＡＦスイッチ１３１がオンでズームスイッチ１３０が押されていないときは、ＡＦプログラム１１７が本体マイコン１１６から送られたＡＦ評価値信号が最大になるようにフォーカスモータドライバ１２６に信号を送り、フォーカスモータ１２５を介してフォーカスコンペレンズ１０５を動かすことで自動焦点調節動作を行う。さらに、ＡＦスイッチ１３１がオフでズームスイッチ１３０が押されていないときは、マニュアルフォーカス操作でピントを変化すべく、フォーカスリング６０１の検出結果に応じて、フォーカスコンペレンズ１０４の制御を行う。
【００２９】
本実施形態の特徴として、フォーカスリング６０１の回転に伴う変化量を検出する検出回路１３７への電源供給は、オン／オフが可能に構成されており、これは、カメラマイコン１１６がスイッチ１３９を介して電源１３８の通電を制御することにより行われる。
【００３０】
＜リング回転検出回路１３７の等価回路＞
図２（ａ），（ｂ）は、図１に示したリング回転検出回路１３７の等価回路である。
【００３１】
スイッチ１３９がカメラマイコン１１６により電源制御され、通電時において、フォトダイオード部６０６の発光がなされ、その光がフォトトランジスタ部６０７で検出されるが、フォーカスリング６０１の櫛歯形状により、投光／遮光がリング回転に応じて繰り返し為されるため、フォトトランジスタ部６０９の出力信号は、パルス出力となる（図９（ａ），（ｂ）参照）。
【００３２】
位置的にリング回転センサ６０３，６０４は位相が９０度ずれるように配置されており、２相パルス出力がカメラマイコン１１６に送られる。カメラマイコン１１６では、２相パルスの位相関係を検出することで、回転方向を確定し、且つ２相パルスの論理変化回数をカウントすることで、回転量を検出している。具体的には、一般的なマイコン機能として装備されている、２相パルスのイベントカウント機能やパルスアキュムレータ機能を使うことにより、ハード的な読み飛ばしをせずに、回転方向と回転量に応じたアップダウンカウント値を生成している。
【００３３】
＜アップダウンカウント値の生成方式＞
図３（ａ），（ｂ），（ｃ）は、一般的な２相パルスを４逓倍してアップダウンカウント値を生成する方式を説明するための図である。同図（ａ），（ｂ）には正回転／逆回転の異なるリング回転方向での２相パルス出力波形を示し、同図（ｃ）には生成されるアップダウンカウント値の模式図を示す。
【００３４】
今、図中▲１▼の位相状態にあるとき、図３（ａ）の正回転時、フォーカスリング６０１の回転により位相状態が▲１▼→▲２▼→▲３▼→▲４▼と変化すると、６０３出力と６０４出力の状態は（Ｈ，Ｌ）→（Ｈ，Ｈ）→（Ｌ，Ｈ）→（Ｌ，Ｌ）と変化する。この状態変化でアップダウンカウント値は図３（ｃ）の様にカウント値が増加する。一方、逆回転時には位相状態が▲１▼→▲２▼→▲３▼→▲４▼と変化すると、６０３出力と６０４出力の状態は（Ｈ，Ｈ）→（Ｈ，Ｌ）→（Ｌ，Ｌ）→（Ｌ，Ｈ）と変化するので、アップダウンカウント値は図３（ｃ）の様にカウント値が減少する。
【００３５】
イベントカウンタ機能は、これら２相パルスの状態変化をエッジ検出し、一方のエッジ変化時に他方のＨ／Ｌ論理を検出することにより、アップダウンカウント値を１だけ増加させたり減少させたりと、ハード的に行う。この２相パルス両者に対して両エッジ変化を検出することで、４逓倍の精度で回転方向に応じた増減カウント値を生成することが可能となる。
【００３６】
図４は、図３（ａ），（ｂ），（ｃ）で説明し検出方法で検出されたリング回転に応じてフォーカスコンペレンズ１０５を移動させる制御を示すフローチャートである。なお、図４の処理は、映像信号の垂直同期信号に同期して為されている。
【００３７】
まずステップＳ４０１で処理を開始し、まずイベントカウント機能で自動的にカウントされているカウント値を読み込む（ステップＳ４０２）、ステップＳ４０３で、前回のカウント値（α）と比較して、変化があればフォーカスリング６０１が回転中としてステップＳ４０６に進む。変化無しの場合には、非回転として、ステップＳ４０４でフォーカス駆動を禁止して、ステップＳ４０５で現在のカウント値をメモりαに格納して処理を終了する。
【００３８】
ステップＳ４０６では、カウント値が前回値αに比べ増加か減少かを判別して、増加中ならフォーカスコンペレンズ１０５の移動方向を至近方向に設定し（ステップＳ４０７）、減少中なら無限方向にフォーカスコンペレンズ１０５の移動方向を設定する（ステップＳ４０８）。そして、カウント値の差分量に応じて、フォーカス速度を設定し（ステップＳ４０９）、フォーカス駆動命令をモータドライバ１２６に出力し（ステップＳ４１０）、ステップＳ４０５で今回のカウント値をメモリαに格納して処理を抜ける（ステップＳ４１１）。ここで、フォーカス速度は、カウント値の差分が大きいほど、フォーカスリング６０１の回転量が多いことを意味するので、フォーカス速度を大きくして、移動量を多くしている。
【００３９】
＜リング回転検出回路１３７への電源供給シーケンス＞
次に本実施形態の特徴である、リング回転検出回路１３７への電源供給シーケンスについて図５を用いて説明する。本発明では、撮影モードに応じて電源供給の許可／禁止を制御している。
【００４０】
まずステップＳ５０１で処理を開始し、ステップＳ５０２でモードスイッチ１０６の状態を判別する。再生モードの場合、ステップＳ５０３でリング回転検出回路１３７への通電を禁止して、フォーカスリング６０１の操作を行えないようにする。
【００４１】
撮影モードの場合は、ステップＳ５０４でズームスイッチ１３０の状態を判別する。ズーム中の場合は、ステップＳ５０３でリング回転検出回路１３７への通電を禁止とし、ズームしていない場合はステップＳ５０５でＡＦスイッチ１３１の状態を判別して、ＡＦスイッチ１３１がオフ状態ならば、ステップＳ５０６でリング回転検出回路１３７への通電を許可し、フォーカスリング６０１の操作を可能にする。
【００４２】
一方、ステップＳ５０５でＡＦ中と判断された場合、ステップＳ５０７でフォトキー半押し（フォトスイッチ１４０の半押し状態）等のフォーカスロック状態かどうかを判別する。フォトキー半押しで且つフォーカスロック状態であれば、撮影者はマニュアルでフォーカス操作する可能性があるとして、ステップＳ５０６でリング回転検出回路１３７への通電を許可とし、そうでないならば、通電禁止とし（ステップＳ５０３）、処理を抜け（ステップＳ５０８）、次の垂直同期信号に同期して図５の処理がなされるまで待機する。
【００４３】
このように撮影モードに応じて、リング回転検出回路１３７への通電を制御することにより、撮影者がマニュアル操作を行わない撮影シーンでの消費電力を削減し、バッテリーの消耗を防ぐことが可能となる。すなわち、レンズ光軸に対して同心円状にフォーカスリング６０１を設け、リング回転検出回路１３７への電源供給を、撮影モードに応じて許可或いは禁止する電源制御を行うことにより、使いたいシーンでいつでもマニュアル操作を可能にしつつ、同時に低消費電力化を図ることが可能になる。特に、通常ＡＦ作動時には非手動焦点調節としてバッテリーの消耗を防止しつつ、ＡＦモードであっても静止画撮影などのフォトキー半押しでのＡＦ後のフォーカスロック時には、ピント確認する撮影意図を確実に反映できる快適な操作性を実現することが可能となる。
【００４４】
なお、上述した図４及び図５のフローチャートに従ったプログラムをカメラマイコン１１６内の記憶装置に格納し動作することにより、上述の制御方法を実現させることが可能となる。
【００４５】
本実施形態では、主としてマニュアル操作はフォーカスコンペレンズ１０５を例にとって説明してきたが、これに限るものではなく、例えば図５ステップＳ５０２，ステップＳ５０３の処理はズームレンズ１０２をマニュアル操作するズームリングに適用でき、撮影モードに応じてズームリングへの通電制御を切り換えるようにしてもよい。
【００４６】
また、本実施形態ではカメラとレンズが一体化した構成を例にとったが、レンズとカメラ本体が交換可能な交換レンズタイプの撮像装置であっても構わない。
【００４７】
さらに本実施形態では、マニュアル操作の検出センサとして、光学センサを用いて説明してきたが、これに限るものではなく、磁気センサを用いても構わない。磁気センサは、例えば、図８（ａ）のエンコーダの櫛形構造部６０２の代わりに、円周上に所定の着磁ピッチで着磁されたマグネットを配置し、位相関係の保たれた２組のフォトインタラプタ素子６０３，６０４の代わりに、ＭＲセンサ等の２相の磁気抵抗素子を配置し、この出力信号である略正弦波強度信号と略余弦波強度信号を、コンパレータ等の信号処理で２相パルス信号として波形生成することで、同様のリング部材の回転検出を行うことが可能である。
【００４８】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステム或いは装置に供給し、そのシステム或いは装置のコンピュータ（またはＣＰＵやＭＰＵ）が記憶媒体に格納されたプログラムコードを読み出し実行することによっても、完成されることは言うまでもない。
【００４９】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００５０】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００５１】
【発明の効果】
以上説明したように本発明によれば、使いたいシーンでいつでもマニュアル操作を可能にしつつ、同時に低消費電力化を図ることができ、撮影の快適性を実現することが可能となる。
【図面の簡単な説明】
【図１】本発明の実施の一形態に係る撮像装置の全体構成を示すブロック図である。
【図２】図１に示したリング回転検出回路の等価回路である。
【図３】アップダウンカウント値を生成する方式を説明するための図である。
【図４】フォーカスコンペレンズ１０５を移動させる制御を示すフローチャートである。
【図５】リング回転検出回路１３７への電源供給シーケンスを示すフローチャートである。
【図６】従来のインナーフォーカスタイプのレンズシステムの簡単な構成を示す図である。
【図７】フォーカスコンペレンズ位置と焦点距離の関係を示すグラフである。
【図８】エンコーダの構成を示す図である。
【図９】リング回転センサの出力信号を示す波形図である。
【符号の説明】
１０２  ズームレンズ
１０５  フォーカスコンペレンズ
１０６  モードスイッチ
１０７  撮像素子
１１２  カメラ信号処理回路
１１３  ＡＦ信号処理回路
１１６  カメラマイコン１１６
１３０  ズームスイッチ
１３１  ＡＦスイッチ
１３３  磁気記録再生装置
１３５  ＬＣＤ
１３７  リング回転検出回路
１４０  フォトスイッチ
６０１  フォーカスリング
６０２  エンコーダの櫛形構造部
６０３，６０４  リング回転センサ
【図１】
0003572061.tif 000002
【図２】
0003572061.tif 000003
【図３】
0003572061.tif 000004
【図４】
0003572061.tif 000005
【図５】
0003572061.tif 000006
【図６】
0003572061.tif 000007
【図７】
0003572061.tif 000008
【図８】
0003572061.tif 000009
【図９】
0003572061.tif 000010